(57)【要約】      （修正有）【課題】簡単な構成によって安価かつ容易に製作できるとともに、例えば仰臥時から横臥時に容易かつ円滑に寝返りでき、その際の労力を軽減し横寝時の自然な寝姿勢を維持して楽な寝姿勢を得られ、首部の捩れや頸部のストレスを防止し、肩こりや寝違えを防止し得るようにした枕を提供する。【解決手段】頭部５の載置面を備えた枕本体１に頭部と係合可能な複数の凸部２，３を設けた枕である。前記枕本体１の使用者４の横臥方向に沿う一側に小高の一対の凸部を対向配置する。【選択図】図１
2020110293.tif 000002
【特許請求の範囲】
【請求項１】
頭部の載置面を備えた枕本体に頭部と係合可能な複数の凸部を設けた枕において、前記枕本体の使用者の横臥方向に沿う一側に小高の一対の凸部を対向配置したことを特徴とする枕。
【請求項２】
前記一対の凸部の間に使用者の首部ないし頸椎部を配置可能にした請求項１記載の枕。
【請求項３】
前記凸部の対向部を外側に高さが漸増するテ−パ面または湾曲面に形成した請求項１記載の枕。
【請求項４】
前記載置面からの凸部の高さを枕本体の厚さと略同一またはそれ以下に形成した請求項１記載の枕。
【請求項５】
前記凸部の横臥方向に沿う外端部の長さを、枕本体の同方向の長さの約１／２以下に形成した請求項１記載の枕。
【請求項６】
前記凸部と枕本体を一体成形した請求項１記載の枕。
【請求項７】
前記凸部と枕本体を分離して構成した請求項１記載の枕。
【請求項８】
前記凸部と枕本体を一体成形するとともに、一対の袋状のポケットを備えた枕ケースを設け、前記ポケットに凸部を収容可能にした請求項１記載の枕。
【請求項９】
前記凸部と枕本体を分離して構成し、それらを袋状ケースに充填材を充填して形成した請求項１記載の枕。
【請求項１０】
一対の凸部の間の前記載置面上に頭部を載置する仰向け寝時、一対の凸部の間を下向きに緩やかに湾曲形成し、凸部の外端部の高さを使用者の耳部の下部位置と略同高に形成可能にした請求項１記載の枕。
【請求項１１】
前記枕本体の上面に側頭部を載置する横向き寝時、片側の頬部を一方の凸部の中高部に載置可能にし、背骨から頭部にかけて水平状態を維持可能にした請求項４記載の枕。
【請求項１２】
前記一対の凸部を下位に設置し、上位の枕本体上に頭部を載置する仰向け寝時、前記一対の凸部を介して枕本体を下方に緩やかに湾曲形成可能にし、該湾曲面の谷部に頭部を載置可能にした請求項１記載の枕。
【請求項１３】
前記一対の凸部を下位に設置し、上位の枕本体上に頭部を載置する仰向け寝時から、枕本体の上面に側頭部を載置する横向き寝に移行時、片側の頬部を一方の凸部の中高部に対応する枕本体上に載置可能にし、背骨から頭部にかけて水平状態を維持可能にした請求項１１記載の枕。
【請求項１４】
前記枕本体の使用者の横臥方向に沿う一側の表裏部に、小高の一対の凸部を対向配置した請求項１記載の枕。
【請求項１５】
前記表裏部の凸部の高さを、前記枕本体の片面に突設した凸部の高さの約１／２に形成した請求項１４記載の枕。
【請求項１６】
前記上側の一対の凸部の間の枕本体上に頭部を載置する仰向け寝時、下側の一対の凸部を介して枕本体を下方に緩やかに湾曲形成可能にし、該湾曲面の谷部に頭部を載置可能にした請求項１４記載の枕。
【請求項１７】
仰向け寝時における上側の凸部の外端部の高さを使用者の耳部の下部位置と略同高に形成可能にした請求項１６記載の枕。
【請求項１８】
前記仰向け寝時から枕本体の上面に側頭部を載置する横向き寝に移行時、片側の頬部を上側の凸部の中高部に載置可能にし、背骨から頭部にかけて水平状態を維持可能にした請求項１６記載の枕。
【発明の詳細な説明】
【技術分野】
【０００１】
本発明は、簡単な構成によって安価かつ容易に製作できるとともに、例えば仰臥時から横臥時に容易かつ円滑に寝返りでき、その際の労力を軽減し横寝時の自然な寝姿勢を維持して楽な寝姿勢を得られ、首部の捩れや頸部のストレスを防止し、肩こりや寝違えを防止し得るようにした枕に関する。
【背景技術】
【０００２】
快適な睡眠は健康の維持に不可欠であり、そのための枕には優れた使用感と機能性が求められている。すなわち、枕は頭部を載置し頸椎と接触して沈み込み、仰向け寝や横向き寝の寝姿勢に対応しているが、睡眠時には頭部や頸椎に様々な応力が生じて肩こりや寝違えの原因となっている。
このため、枕には睡眠時におけるストレスを防止し、肩こりや寝違えを防止して快適な睡眠を得られるものが望まれ、そのための提案が種々なされている。
【０００３】
例えば、充填材を多めに収納して高く形成した一対の側枕と、充填材を少なめに収納して低く形成した中央枕を備え、これらを平面視コ字形状に配置し、枕本体の側枕と中央枕との間に凹状の切欠部を形成し、該切欠部に後頭部支持枕と複数の頸椎支持枕を隣接して配置し、仰臥時に枕本体と後頭部支持枕上に後頭部を載せ、頸椎支持枕上に頸椎を載せ、横臥時に側頭部を載せて、各部を支持するようにしたものがある（例えば、特許文献１参照）。
【０００４】
しかし、この枕は側枕の高さと、枕本体と後頭部支持枕または頸椎支持枕の各高さとの間に段差があるため、仰臥時から横臥時に寝返りをする際、前記段差を乗り越えて移動するため移動に労力を要し、また首部の移動の自由度が抑えられて捩れを起こし、側頭部や頸椎にストレスが掛かる問題があった。
しかも、横臥時には頸部が肩幅の分だけ位置が高くなるため、背骨が水平位置から頸部に向かって下降し、頸椎から頭部に向かって上向きに傾く不自然な姿勢になって、肩こりや寝違えを起こしたりする等の問題があった。
【０００５】
また他の枕に、枕の両側に突出部を設け、これらを凹状の連結部で連結し、仰臥時に後頭部を連結部に載せ、横臥時に側頭部を載せて、各部を支持するようにしたものがある（例えば、特許文献２参照）。
【０００６】
しかし、前記枕は仰臥時から横臥時に寝返りをする際、突出部と連結部との段差を乗り越えて移動するため、移動に労力を要し、また首部の自由度が抑えられて捩れを起こし、側頭部や頸椎にストレスが掛かる問題があった。
更に、横臥時には頸部が肩幅の分だけ位置が高くなるため、背骨が水平位置から頸部に向かって下降し、頸椎から頭部に向かって上向きに傾く不自然な姿勢になって、肩こりや寝違えを起こしたりする等の問題があった。
【０００７】
また別の枕に、低反発ウレタンによって平面視略Ｕ字形状の肉厚の板状に成形し、平坦な上面の中央に低い凹部を形成するとともに、左右両端部の内側面に湾曲面状の凹溝を形成し、仰臥時に後頭部を前記凹部に載せ、横臥時に側頭部を上面に載せ、下側の肩部を前記凹溝に収容するようにしたものがある（例えば、特許文献３参照）。
【０００８】
しかし、この枕は形状が複雑で成形に安定した品質を得られず、また仰臥時から横臥時に寝返りをする際、段部を乗り越えて上面に移動し、この移動に首部の移動が抑えられて捩れを起こし、側頭部や頸椎にストレスが掛かる問題があった。
しかも、横臥時には頸部が肩幅の分だけ位置が高くなるため、背骨が水平位置から頸部に向かって下降し、頸椎から頭部に向かって上向きに傾く不自然な姿勢になって、肩こりや寝違えを起こしたりする等の問題があった。
【０００９】
このような問題を解決するものとして、発泡ポリウレタンによって平面視肉厚の矩形板状に形成し、その中央部に後頭部載置用の窪み部を形成し、その両側に耳部載置用の窪み部を形成し、手前側を前下がりの傾斜面に形成し、板体の四隅の前後に半球面状の前頭部隆起部と顎部隆起部を形成し、仰臥時に後頭部を前記後頭部載置用の窪み部に載せ、横臥時に側頭部を耳部載置用の窪み部上に載せるようにしたものがある（例えば、特許文献４参照）。
【００１０】
しかし、この枕は形状が複雑で成形が難しく、また仰臥時から横臥時に寝返りをする際、後頭部載置用と耳部載置用の窪み部を乗り越えて身体を横転させて、顎部を顎部隆起部に当接させ、背骨から頭部にかけて水平状態を維持させ、楽な寝姿勢を維持させているため、身体の移動に大きな労力を要するとともに、前頭部を前頭部隆起部に当接させて頭部の移動を制止させて、横臥時における身体の自然な屈曲姿勢を阻止して垂直な寝姿勢に矯正しているため、却って疲労を助長し、しかも前頭部隆起部上における側頭部の位置は不安定で、横臥時の寝姿勢が不安定になる等の問題があった。
【先行技術文献】
【特許文献】
【００１１】
【特許文献１】実用新案登録第３０７７４７３号公報
【特許文献２】実開平６−３８９３７号公報
【特許文献３】意匠登録第１５３７３７８号公報
【特許文献４】特開２００５−１１８３９７号公報
【発明の開示】
【発明が解決しようとする課題】
【００１２】
本発明はこのような問題を解決し、簡単な構成によって安価かつ容易に製作できるとともに、例えば仰臥時から横臥時に容易かつ円滑に寝返りでき、その際の労力を軽減し横寝時の自然な寝姿勢を維持して楽な寝姿勢を得られ、首部の捩れや頸部のストレスを防止し、肩こりや寝違えを防止し得るようにした枕を提供することを目的とする。
【課題を解決するための手段】
【００１３】
請求項１の発明は、頭部の載置面を備えた枕本体に頭部と係合可能な複数の凸部を設けた枕において、前記枕本体の使用者の横臥方向に沿う一側に小高の一対の凸部を対向配置し、枕本体の構成を簡潔にし容易かつ安価に製作できるとともに、一対の凸部の間に使用者の首部や頸椎部の配置を促して、快適な寝姿勢を形成するとともに、寝返りの労力を軽減し容易に寝返りを行なえるようにしている。
請求項２の発明は、一対の凸部の間に使用者の首部ないし頸椎部を配置し、睡眠時における首部や頸椎部の移動を規制し、安定した寝姿勢を形成し得るようにしている。
請求項３の発明は、凸部の対向部を外側に高さが漸増するテーパ面または湾曲面に形成し、枕本体の凹凸部の段差が大きな従来のものに比べ、寝返り時に頭部を円滑かつ容易に移動することができ、寝返り時の労力を軽減するようにしている。
【００１４】
請求項４の発明は、載置面からの凸部の高さを枕本体の厚さと略同一またはそれ以下に形成し、凸部ないし枕本体の小形軽量化を図るとともに、睡眠時に載置面に頭部を載置して枕本体が下向きに緩やかに湾曲した際、凸部を側頭部の同高位置に位置付けて、枕本体による圧迫感や窮屈感を解消するとともに、頭部周辺の通気性と自由度を維持して快適な睡眠を促すようにしている。
請求項５の発明は、凸部の横臥方向に沿う外端部の長さを、枕本体の同方向の長さの約１／２以下に形成し、凸部ないし枕本体の小形軽量化を図るとともに、寝返り時に頭部や頬部との接触を極力回避して、容易に寝返りを行なえるようにしている。
請求項６の発明は、凸部と枕本体を一体成形し、枕本体の量産化と均質化を図るとともに、部品点数を低減して枕の製作と使用を簡便に行なえるようにしている。
請求項７の発明は、凸部と枕本体を分離して構成し、凸部と枕本体の個別かつ自由な製作を図るとともに、凸部と枕本体の一体成形による高価な設備費の負担を解消し、安価かつ容易に製作し得るようにしている。
【００１５】
請求項８の発明は、凸部と枕本体を一体成形するとともに、一対の袋状のポケットを備えた枕ケースを設け、前記ポケットに凸部を収容可能にし、枕本体に枕ケースを被着した使用を図り、枕の汚損や損傷を防止するようにしている。
請求項９の発明は、凸部と枕本体を分離して構成し、それらを袋状ケースに充填材を充填して形成し、凸部と枕本体の個別かつ自由な製作を図るとともに、それらの一体成形による高価な設備費の負担を解消し、安価かつ容易に製作し得るようにしている。
請求項１０の発明は、一対の凸部の間の載置面上に頭部を載置する仰向け寝時、一対の凸部の間の載置面を下向きに緩やかに湾曲形成し、凸部の外端部の高さを使用者の耳部の下部位置と略同高に形成可能にし、仰向け寝時における凸部の高さ位置を抑制し、枕本体による圧迫感や窮屈感を解消し、頭部周辺の通気性と自由度を維持して快適な睡眠を促すようにしている。
【００１６】
請求項１１の発明は、枕本体の上面に側頭部を載置する横向き寝時、片側の頬部を一方の凸部の中高部に載置可能にし、背骨から頭部にかけて水平状態を維持可能にして、横向き寝の楽な寝姿勢と自然な寝姿勢を維持し、首部の捩れや頸部のストレスを防止し、肩こりや寝違えを防止するようにしている。
請求項１２の発明は、一対の凸部を下位に設置し、上位の枕本体上に頭部を載置する仰向け寝時、前記一対の凸部を介して枕本体を下方に緩やかに湾曲形成可能にし、該湾曲面の谷部に頭部を載置可能にし、枕本体の上位に一対の凸部を配置する使用と同等な使用と仰向け寝を得られるともに、枕本体の外端部の突出を抑制し、枕本体による圧迫感や窮屈感を解消して、頭部周辺の通気性と自由度を維持して快適な睡眠を促すようにしている。
請求項１３の発明は、一対の凸部を下位に設置し、上位の枕本体上に頭部を載置する仰向け寝時から、枕本体の上面に側頭部を載置する横向き寝に移行時、片側の頬部を一方の凸部の中高部に対応する枕本体上に載置可能にし、背骨から頭部にかけて水平状態を維持可能にし、枕本体の上位に一対の凸部を配置する使用と同等な寝返りを得られるとともに、横向き寝の楽な寝姿勢と自然な寝姿勢を維持し、首部の捩れや頸部のストレスを防止し、肩こりや寝違えを防止するようにしている。
【００１７】
請求項１４の発明は、前記枕本体の使用者の横臥方向に沿う一側の表裏部に、小高の一対の凸部を対向配置し、枕本体の構成を簡潔にし容易かつ安価に製作できるとともに、一対の凸部の間に使用者の首部や頸椎部の配置を促して、快適な寝姿勢を形成するとともに、容易に寝返りを行なえるようにしている。
請求項１５の発明は、表裏部の凸部の高さを、前記枕本体の片面に突設した凸部の高さの約１／２に形成し、使用時に下位に設置する凸部を圧縮変位し、上位に位置する凸部の圧縮を解放して、枕本体の両端部の高さを枕本体の一側に一対の凸部を配置する使用と同等な使用と仰向け寝を得られるとともに、枕本体の外端部の突出を抑制し、枕本体による圧迫感や窮屈感を解消し、頭部周辺の通気性と自由度を維持して快適な睡眠を促すようにしている。
請求項１６の発明は、前記上側の一対の凸部の間の枕本体上に頭部を載置する仰向け寝時、下側の一対の凸部を介して枕本体を下方に緩やかに湾曲形成可能にし、該湾曲面の谷部に頭部を載置可能にし、枕本体の外端部の突出を抑制して枕本体による圧迫感や窮屈感を解消し、頭部周辺の通気性と自由度を維持して快適な睡眠を促すようにしている。
【００１８】
請求項１７の発明は、仰向け寝時における上側の凸部の外端部の高さを使用者の耳部の下部位置と略同高に形成可能にし、枕本体の外端部の突出を抑制して枕本体による圧迫感や窮屈感を解消し得るようにしている。
請求項１８の発明は、仰向け寝時から枕本体の上面に側頭部を載置する横向き寝に移行時、片側の頬部を上側の凸部の中高部に載置可能にし、背骨から頭部にかけて水平状態を維持可能にし、枕本体の上位に一対の凸部を配置する使用と同等な寝返りを得られるとともに、横向き寝の楽な寝姿勢と自然な寝姿勢を維持し、首部の捩れや頸部のストレスを防止し、肩こりや寝違えを防止するようにしている。
【発明の効果】
【００１９】
請求項１の発明は、枕本体の使用者の横臥方向に沿う一側に小高の一対の凸部を対向配置したから、枕本体の構成を簡潔にし容易かつ安価に製作できるとともに、一対の凸部の間に使用者の首部や頸椎部の配置を促し、快適な寝姿勢を形成できるとともに、寝返りの労力を軽減し容易に寝返りを行なうことができる。
請求項２の発明は、一対の凸部の間に使用者の首部ないし頸椎部を配置可能にしたから、睡眠時における首部や頸椎部の移動を規制し、安定した寝姿勢を形成することができる
請求項３の発明は、凸部の対向部を外側に高さが漸増するテ−パ面または湾曲面に形成したから、枕本体の凹凸部の段差が大きな従来のものに比べ、寝返り時に頭部を円滑かつ容易に移動することができ、寝返り時の労力を軽減することができる。
【００２０】
請求項４の発明は、載置面からの凸部の高さを枕本体の厚さと略同一またはそれ以下に形成したから、凸部ないし枕本体の小形軽量化を図れるとともに、睡眠時に載置面に頭部を載置して枕本体が下向きに緩やかに湾曲した際、凸部を頭部の同高位置に位置付けて、枕本体による圧迫感や窮屈感を解消するとともに、頭部周辺の通気性と自由度を維持して快適な睡眠を促すことができる。
請求項５の発明は、凸部の横臥方向に沿う外端部の長さを、枕本体の同方向の長さの約１／２以下に形成したから、凸部ないし枕本体の小形軽量化を図れるとともに、寝返り時に頭部や頬部との接触を極力回避して、容易に寝返りを行なうことができる。
請求項６の発明は、凸部と枕本体を一体成形したから、枕本体の量産化と均質化を図れるとともに、部品点数を低減して枕の製作と使用を簡便に行なうことができる。
請求項７の発明は、凸部と枕本体を分離して構成したから、凸部と枕本体の個別かつ自由な製作を図れるとともに、凸部と枕本体の一体成形による高価な設備費の負担を解消し、安価かつ容易に製作することができる。
【００２１】
請求項８の発明は、凸部と枕本体を一体成形するとともに、一対の袋状のポケットを備えた枕ケースを設け、前記ポケットに凸部を収容可能にしたから、枕本体に枕ケースを被着した使用を図れ、枕の汚損や損傷を防止することができる。
請求項９の発明は、凸部と枕本体を分離して構成し、それらを袋状ケースに充填材を充填して形成し、凸部と枕本体の個別かつ自由な製作を図れるとともに、それらの一体成形による高価な設備費の負担を解消し、安価かつ容易に製作することができる。
請求項１０の発明は、一対の凸部の間の載置面上に頭部を載置する仰向け寝時、一対の凸部の間の載置面を下向きに緩やかに湾曲形成し、凸部の外端部の高さを使用者の耳部の下部位置と略同高に形成可能にしたから、仰向け寝時における凸部の高さ位置を抑制し、枕本体による圧迫感や窮屈感を解消し、頭部周辺の通気性と自由度を維持して快適な睡眠を促すことができる。
【００２２】
請求項１１の発明は、枕本体の上面に側頭部を載置する横向き寝時、片側の頬部を一方の凸部の中高部に載置可能にし、背骨から頭部にかけて水平状態を維持可能にしたから、横向き寝の楽な寝姿勢と自然な寝姿勢を維持し、首部の捩れや頸部のストレスを防止して、肩こりや寝違えを防止することができる。
請求項１２の発明は、一対の凸部を下位に設置し、上位の枕本体上に頭部を載置する仰向け寝時、前記一対の凸部を介して枕本体を下方に緩やかに湾曲形成可能にし、該湾曲面の谷部に頭部を載置可能にしたから、枕本体の上位に一対の凸部を配置する使用と同等な使用と仰向け寝を得られるともに、枕本体の外端部の突出を抑制し、枕本体による圧迫感や窮屈感を解消して、頭部周辺の通気性と自由度を維持し快適な睡眠を促すことができる
請求項１３の発明は、一対の凸部を下位に設置し、上位の枕本体上に頭部を載置する仰向け寝時から、枕本体の上面に側頭部を載置する横向き寝に移行時、片側の頬部を一方の凸部の中高部に対応する枕本体上に載置可能にし、背骨から頭部にかけて水平状態を維持可能にしたから、枕本体の上位に一対の凸部を配置する使用と同等な寝返りを得られるとともに、横向き寝の楽な寝姿勢と自然な寝姿勢を維持し、首部の捩れや頸部のストレスを防止して、肩こりや寝違えを防止することができる。
【００２３】
請求項１４の発明は、枕本体の使用者の横臥方向に沿う一側の表裏部に、小高の一対の凸部を対向配置したから、枕本体の構成を簡潔にし容易かつ安価に製作できるとともに、一対の凸部の間に使用者の首部や頸椎部の配置を促して、快適な寝姿勢を形成するとともに、容易に寝返りを行なうことができる。
請求項１５の発明は、表裏部の凸部の高さを、前記枕本体の片面に突設した凸部の高さの約１／２に形成したから、使用時に下位に設置する凸部を圧縮変位し、上位に位置する凸部の圧縮を解放して、枕本体の両端部の高さを枕本体の一側に一対の凸部を配置する使用と同等な使用と仰向け寝を得られるとともに、枕本体の外端部の突出を抑制し、枕本体による圧迫感や窮屈感を解消し、頭部周辺の通気性と自由度を維持して快適な睡眠を促すことができる。
請求項１６の発明は、前記上側の一対の凸部の間の枕本体上に頭部を載置する仰向け寝時、下側の一対の凸部を介して枕本体を下方に緩やかに湾曲形成可能にし、該湾曲面の谷部に頭部を載置可能にしたから、枕本体の外端部の突出を抑制して枕本体による圧迫感や窮屈感を解消し、頭部周辺の通気性と自由度を維持して快適な睡眠を促すことができる。
【００２４】
請求項１７の発明は、仰向け寝時における上側の凸部の外端部の高さを使用者の耳部の下部位置と略同高に形成可能にしたから、枕本体の外端部の突出を抑制して枕本体による圧迫感や窮屈感を解消することができる。
請求項１８の発明は、仰向け寝時から枕本体の上面に側頭部を載置する横向き寝に移行時、片側の頬部を上側の凸部の中高部に載置可能にし、背骨から頭部にかけて水平状態を維持可能にしたから、枕本体の上位に一対の凸部を配置する使用と同等な寝返りを得られるとともに、横向き寝の楽な寝姿勢と自然な寝姿勢を維持し、首部の捩れや頸部のストレスを防止して、肩こりや寝違えを防止することができる。
【図面の簡単な説明】
【００２５】
【図１】本発明の第１の実施形態を適用した枕を使用した仰向け寝時の状況を示す平面図である。
【図２】図１の正面図である。
【図３】図１の右側面図である。
【図４】図１のＡ−Ａ線に沿う断面図である。
【００２６】
【図５】図１のＢ−Ｂ線に沿う断面図である。
【図６】図１のＣ−Ｃ線に沿う断面図である。
【図７】図１のＤ−Ｄ線に沿う断面図である。
【図８】図１のＥ−Ｅ線に沿う断面図である。
【図９】図１のＦ−Ｆ線に沿う断面図である。
【図１０】図１の枕による仰向け寝時の状況を示す背面図である。
【００２７】
【図１１】図１の枕による横向き寝時の状況を示す平面図である。
【図１２】図１１の左側面図である。
【図１３】（ａ）〜（ｄ）は第１の実施形態に適用可能な種々の凸部を示す平面図である。
【図１４】本発明の第２の実施形態を適用した枕の要部を分解して示す斜視図である
【００２８】
【図１５】本発明の第３の実施形態を適用した枕の平面図である。
【図１６】図１５の正面図である。
【図１７】図１５の右側面図である。
【図１８】第３の実施形態を適用した枕による仰向け寝時の状況を示す平面図である
【図１９】第３の実施形態を適用した枕の使用直前の状況を示す説明図である。
【図２０】第３の実施形態を適用した枕による仰向け寝時の状況を示す背面図である
【００２９】
【図２１】第３の実施形態を適用した枕による寝返り後の横向き寝の状況を示す平面図である。
【図２２】図２１の左側面図である。
【図２３】本発明の第４の実施形態を適用した枕の平面図である。
【図２４】図２３の正面図である。
【００３０】
【図２５】図２３の背面図である。
【図２６】図２３の右側面図である。
【図２７】第４の実施形態を適用した枕による仰向け寝時の状況を示す背面図である
【図２８】第４の実施形態を適用した枕による寝返り後の横向き寝の状況を示す平面図である。
【図２９】図２８の左側面図である。
【発明を実施するための最良の形態】
【００３１】
以下、本発明を適用した図示の実施形態について説明すると、図１乃至図１３において１は発泡ポリウレタン製の柔軟な枕本体で、その平面視が縦ａ、横ｂの横長矩形の肉厚板状に形成され、使用時は汚損や破損防止から、望ましくは後述する袋状の枕ケース（図示略）を被着している。実施形態では、前記ａを３０〜６０ｃｍ、ｂを４５〜８０ｃｍに形成している。
前記枕ケースは枕本体１を収容可能な布製の袋状に形成され、その所定位置に略扇形の二つのポケット（図示略）を縫着して突設し、このポケットに後述する二つの凸部を収容している。
【００３２】
前記枕本体１の上面と底面は概ね平坦面に形成され、その一側上面の手前側に貝殻状の凸部２，３を対称位置に配置している。
前記凸部２，３は平面が略扇形に形成され、その端縁に沿う扇辺ｃ，ｄ（ｃ＜ｄ）の長さは、扇辺ｃが枕本体１の縦幅ａの１／２以下に形成され、扇辺ｄが枕本体１の横幅ｂの１／２以下に形成され、その周面は緩やかな湾曲面に形成されている。
実施形態では、前記ｃを１５ｃｍ以下、ｄを１５ｃｍ以上に形成している。
【００３３】
前記凸部２，３の枕本体１上面からの高さｅは、枕本体１の厚さｆと略同一かそれ以下に形成され、枕本体１上面に使用者４の頭部５を載置した際、耳６の下部位置と同高かそれ以下の小高に形成されている。
実施形態では、前記ｅとｆの比率を２：１〜１：３に構成し、かつこの場合、前記ｆの寸法を無負荷時に１〜１５ｃｍ、頭部重量相当の負荷時に１〜７ｃｍに構成している。
【００３４】
前記凸部２，３の相対する裾部の間ないし谷間に、頭部５と頸椎７周辺と首部９を載置する平坦な安置部１０を形成し、その形状は後方に幅が漸増する漏斗状に形成し、その手前側の最小寸法ｇを、枕本体１の横幅ｂから凸部２，３の各扇辺ｄを差し引いた長さに形成し、首部６の外径ｈよりも幅広に形成している。
【００３５】
図中、１１は枕本体１に隣接して配置した敷布団で、該敷布団１１に肩部１２が載置され、横向き寝時には片側の頬部を凸部２または３の中高部に載置し、かつ片側の肩部１２を敷布団１１に載置して、身体を略垂直に立位させ、背骨から頭部にかけて水平状態を維持させて、楽な寝姿勢を維持可能にしている。
なお、枕本体１を発泡ポリウレタンによって一体成形する代わりに、例えば前記ポケットを備えた袋ケースを縫製し、この袋ケース内に適宜な素材を詰めて所定形状に成形することも可能である。
【００３６】
このように構成した実施形態の枕を製作する場合は、発泡ポリウレタンによって枕本体１を一体に樹脂成形する。
この場合、枕本体１の硬さは、枕本体１の厚さｆの寸法が無負荷時に１〜１５ｃｍ、頭部重量相当の負荷時に１〜７ｃｍ、つまり負荷時に枕本体１の厚さが約１／２になるように、発泡ポリウレタンの材質および性状を選択し充填量を調節して調整する。
【００３７】
前記枕本体１は、上面と底面を概ね平坦面に形成し、その一側上面の手前側に貝殻状の凸部２，３を対称位置に配置する。
前記凸部２，３は平面を略扇形に形成し、その端縁に沿う扇辺ｃ，ｄ（ｃ＜ｄ）の長さを、扇辺ｃは縦幅ａの１／２以下に、扇辺ｄは横幅ｂの約１／２以下にそれぞれ形成し、その周面を緩やかな湾曲面に形成する。
【００３８】
前記凸部２，３の枕本体１上面からの高さｅは、枕本体１の厚さｆと略同一かそれ以下に形成し、枕本体１上面に頭部５を載せて仰向け寝した際、図１０のように凸部２，３が耳６の下部位置と同高かそれ以下の小高に形成する。
また、仰向け寝から寝返り後の横寝時には、図１１のように片側の頬部を凸部２または３の中高部に載置し、かつ片側の肩部１２を敷布団１１に載置して、身体を略垂直に立設させ、背骨から頭部にかけて水平状態を維持させ、楽な寝姿勢を維持可能にする。
【００３９】
前記凸部２，３の相対する裾部の間ないし谷間に、頭部５と頸椎７周辺と首部９を載置する平坦な安置部１０を形成し、その形状は後方に幅が漸増する漏斗状に形成し、その手前側の最小寸法ｇを、枕本体１の横幅ｂから凸部２，３の各扇辺ｄを差し引いた長さに形成し、首部６の外径ｈよりも幅広に形成する。
【００４０】
このように枕本体１の構成は簡単であるから、その成形金型の構成も簡単で安価に製作でき、枕本体１を均質かつ安価に製作できる。
なお、本発明の枕を使用時は、枕本体１の汚損や破損防止から袋状の枕ケース（図示略）を被着させることが望ましい。
その場合、枕ケースを枕本体１を収容可能な布製の袋状に形成し、その所定位置に略扇形の二つのポケット（図示略）を縫着して突設し、このポケットに二つの凸部２，３を収容する。
【００４１】
こうして製作した枕本体１を使用する場合は、枕本体１に枕ケース（図示略）を被着し、この枕本体１に隣接して敷布団１１を配置する。その際、凸部２，３は敷布団１１側に隣接して配置する。
そして、使用者４の身体を敷布団１１上に載置し、頭部５を凸部２，３の間の安置部１０上に載置する。このような仰向け寝の状況は図１および図１０のようである。
【００４２】
前記仰向け寝時には、頭部５が枕本体１の中央に位置し、首部９および頸椎７の周辺が凸部２，３間の安置部１０上に位置して若干沈み込み、首部９周辺が凸部２，３の裾部に近接して収容される。
したがって、仰向け寝時の安心感を抱かせるとともに、首部９周辺が凸部２，３から離間して通気性を維持し、凸部２，３間の窮屈感を払拭して自由度を有するから、開放感があり、不快な接触や発熱、蒸れ、発汗を防止し、快適な睡眠を得られる。
【００４３】
このような仰向け寝時に発熱や蒸れ、睡眠の窮屈感を感じて、頭部５を約９０°横転させて寝返りを打つと、頭部５が凸部２または凸部３、図１１では凸部２の緩やかな湾曲面を移動し、該凸部２の中高部位置に片側の頬が接触して静止する。
その際、頭部５は前記横転に伴ない自重によって若干下向きに変位し、前記頬の接触を促す。
【００４４】
前記寝返り時には、前述のように頭部５が凸部２の緩やかな湾曲面を移動するが、凸部２の枕本体１上面からの高さｅは、枕本体１の厚さｆと略同一かそれ以下の小高であり、また湾曲面は頭部５の重量によって若干沈み込むため、頭部５が安置部１０から凸部２の中高部位置へ移動する労力は僅少で、速やかに移動する。
したがって、従来の枕本体のように、頭部の載置位置から移動位置までの高い段差を乗り越え、または複数の窪みを乗り越えて移動する寝返り時の労力を大幅に低減する。
【００４５】
一方、寝返り時には上半身が頭部５の横転に同動し、片側の肩部１２が敷布団１１上を移動して、上半身が略垂直に位置する。
この状況は図１２のようで、片側の頬が凸部２の中高部位置に位置し、頭部５の下向き姿勢を阻止して、背骨から頭部にかけて水平状態を維持し、横向き寝の楽な寝姿勢ないし自然な寝姿勢を維持して、首部の捩れや頸部のストレスを防止し、肩こりや寝違えを防止する。
【００４６】
図１３（ａ）〜（ｄ）は扇形に代わる凸部２，３の種々の形態を示す応用形態で、（ａ）は凸部２，３を四角錘台形状に形成し、扇形の湾曲面の代わりにテーパ状の角錘面に形成し、寝返り時における頭部５の横転移動の労力を軽減するようにしている。（ｂ）は凸部２，３を円錐台形状に形成し、扇形の湾曲面の代わりにテーパ状の円錐面に形成している。（ｃ）は凸部２，３を楕円錐台形状に形成し、扇形表面の湾曲面の代わりにテーパ状の楕円錐面に形成し、（ｄ）は凸部２，３を四角錐状に形成し、扇形の湾曲面の代わりにテーパ状の四角錐面に形成している。
【００４７】
図１４乃至図２９は本発明の他の実施形態を示し、前述の実施形態と対応する構成部分に同一の符号を用いている。
このうち、図１４は本発明の第２の実施形態を示し、この実施形態は枕本体１と凸部２，３を一体成形する代わりに、これらを分離して成形し、成形後、これらを前記枕ケースに収容して使用するようにしている。
このように構成することで、枕本体１と凸部２，３の金型を別々に製作し、それらの金型代の節減を図るとともに、枕本体１と凸部２，３の形状変更に容易に応じられるようにしている。
【００４８】
前記第２の実施形態は、枕本体１と凸部２，３を別々に成形する場合に限らず、枕本体１と凸部２，３を袋状ケースに適宜な充填材を充填して個別に形成し、これらを前記枕ケースに収容して構成する場合も含まれる。
したがって、前記の構成では成形用金型や成形作業が不要になり、設備費や製作費が低廉になるとともに、製作が容易になる利点がある。
【００４９】
図１５乃至図２２は本発明の第３の実施形態を示し、この実施形態は枕本体１と凸部２，３を一体成形し、凸部２，３を枕本体１の他側、すなわち下面の対称位置に突設している。
前記凸部２，３は、貝殻形状の代わりに隅角部を頂点にした略円錐形状に形成し、その周面を湾曲面の代わりに円錐面に形成している。
【００５０】
このように構成した枕本体１を使用する場合は、その表面に枕ケ−スを被着し、その凸部２，３を下向きにして枕本体１を設置し、この枕本体１の上面の手前側に頭部５を載せる。この状況は図１９のようである。
【００５１】
このようにすると枕本体１と凸部２，３が頭部５の重量によって押圧され、枕本体１が下方へ湾曲するとともに、凸部２，３が押し曲げられて斜辺部が設置面に接触し、その弾性によって枕本体１の両側を支持する。この状況は図２０のようである。
このような仰向け寝時には、頭部５が若干沈み込んだ枕本体１の湾曲した谷間の中央に位置し、首部９および頸椎７の周辺が同様に湾曲した谷間に位置し、その両側に緩やかに湾曲した枕本体１の端部が耳６の下部と略同高に位置して、頭部５を開放的に包容する。
【００５２】
したがって、仰向け寝の安心感を抱かせ、また首部９周辺が枕本体１の両端部から離間して自由度を維持し、通気性を有するから開放感があり、不快な接触や発熱、蒸れ、発汗を防止し、快適な睡眠を得られる。
【００５３】
このような仰向け寝時に発熱や蒸れ、睡眠の窮屈感等を感じて、頭部５を約９０°横転させて寝返りを打つと、頭部５が枕本体１の緩やかな円錐面のテーパ面を移動して端部に差し掛かり、片側の頬が接触して静止する。
その際、頭部５は前記横転に伴ない自重によって若干下向きに変位し、前記頬の接触を促す。この状況は図２１、２２のようである。
【００５４】
このような寝返り時には、前述のように頭部５が枕本体１の緩やかなテーパ面を移動するが、その移動高さは枕本体１の厚さｆまたはそれ以下の小高で、枕本体１の湾曲面と凸部２の円錐面は頭部５の重量によって若干沈み込むため、頭部５が枕本体１の端部へ移動する労力は僅少で、速やかに移動する。
したがって、従来の枕本体のように、頭部の載置位置から移動位置までの高い段差を乗り越え、または複数の窪みを乗り越えて移動する寝返り時の労力を大幅に低減する。
【００５５】
一方、前記寝返り時には上半身が頭部５の横転に同動し、片側の肩部１２が敷布団１１上を移動して、上半身が略垂直に位置する。
この状況は図２２のようで、片側の頬が枕本体１の端部上に位置し、頭部５の下向き姿勢を阻止して、背骨から頭部にかけて水平状態を維持し、横向き寝の楽な寝姿勢ないし自然な寝姿勢を維持して、首部の捩れや頸部のストレスを防止し、肩こりや寝違えを防止する。
【００５６】
図２３乃至図２９は本発明の第４の実施形態を示し、この実施形態は枕本体１の上下面の手前側の両端部に、同様な凸部２，３，１３，１４を一体成形し、上面の凸部２，３と、下面の凸部１３，１４をそれぞれ対称位置に突設している。
前記凸部２，３，１３，１４は、第３の実施形態と同様に隅角部を頂点にした略円錐形状に形成し、その周面を円錐面に形成している。
前記凸部２，３，１３，１４の高さｉは、前記実施形態の凸部２，３の高さｅの約１／２に形成され、対応する上下側の凸部２，１３または３，１４によって同一の変位を形成可能にしている。したがって、枕本体１の上下面の形態を同一に構成している。
【００５７】
このように構成した枕本体１を使用する場合は、その表面に枕ケースを被着する。この場合、枕ケースは上下面の対応位置に浅めのポケットを突設し、これらのポケットに凸部２，３，１３，１４を収納し、この一方の凸部１３，１４を下向きにして枕本体１を設置し、この枕本体１の上面の手前側に頭部５を載せて仰向け寝する。この状況は図２３および２７のようである。
【００５８】
このようにすると枕本体１と凸部２，３，１３，１４が頭部５の重量によって押圧され、枕本体１が若干沈み込んで下方へ湾曲するとともに、凸部２，３，１３，１４が若干沈み込んで押し曲げられて下側の斜辺部が設置面に接触し、その弾性によって枕本体１の両側を支持する。この状況は図２７のようである。
このような仰向け寝時には、頭部５が枕本体１の湾曲した谷間の中央に位置し、首部９および頸椎７の周辺が同様に湾曲した谷間に位置し、その両側に緩やかに湾曲した枕本体１の端部が耳６の下部と略同高に位置して、頭部５を開放的に包容する。
【００５９】
この場合、凸部２，３，１３，１４の高さｉは、前述の実施形態の凸部２，３の高さｅの約１／２に形成されているから、下側の凸部１３，１４の押し縮み変位が前述の実施形態の凸部２，３の約１／２になり、一方、上側の凸部２，３は頭部５に圧縮されないから、枕本体１の端部は、前記実施形態の枕本体１の端部高さと略同高に位置し、前記実施形態と同様に頭部５を開放的に包容する。
【００６０】
したがって、仰向け寝時の安心感を得られ、また首部９周辺が枕本体１の両端部から離間して自由度を維持し、通気性を有するから開放感があり、不快な接触や発熱、蒸れ、発汗を防止し、快適な睡眠を得られる。
【００６１】
このような仰向け寝時に発熱や蒸れ、睡眠の窮屈感等を感じて、頭部５を約９０°横転させて寝返りを打つと、頭部５が枕本体１の緩やかなテーパ面を移動して端部に差し掛かり、片側の頬が接触して静止する。
その際、頭部５は前記横転に伴ない自重によって若干下向きに変位し、前記頬の接触を促す。この状況は図２８、２９のようである。
【００６２】
このような寝返り時には、前述のように頭部５が枕本体１の緩やかなテーパ面を移動するが、その移動高さは枕本体１の厚さｆと略同一またはそれ以下の小高であるため、頭部５が枕本体１の端部へ移動する労力は僅少で、速やかに移動する。
したがって、従来の枕本体のように、頭部の載置位置から移動位置までの高い段差を乗り越え、または複数の窪みを乗り越えて移動する、寝返り時の労力を大幅に低減し得る。
【００６３】
一方、寝返り時には上半身が頭部５の横転に同動し、片側の肩部１２が敷布団１１上を移動して、上半身が略垂直に位置する。
この状況は図２９のようで、片側の頬が枕本体１の端部上に位置し、頭部５の下向き姿勢を阻止して、背骨から頭部にかけて水平状態を維持し、横向き寝の楽な寝姿勢ないし自然な寝姿勢を維持して、首部の捩れや頸部のストレスを防止し、肩こりや寝違えを防止し得る。
【００６４】
このように本発明の枕は、枕本体１の上下側の少なくとも一側面に、小形かつ小高の一対の凸部を離間して配置し、仰向け寝の際は、一対の凸部の間に首部や頸椎部周辺を配置して首部周辺を包容し、仰向け寝の安心感を得られるとともに、寝返り時における頭部の上下および水平移動を低減して労力の負担を軽減する。
しかも、側頭部を凸部の中高部に載置して、背骨から頭部にかけて水平状態を維持し、横向き寝の楽な寝姿勢ないし自然な寝姿勢を維持して、首部の捩れや頸部のストレスを防止し、肩こりや寝違えを防止し得るようにしたものである。
【産業上の利用可能性】
【００６５】
このように本発明の枕は、簡単な構成によって安価かつ容易に製作できるとともに、例えば仰臥時から横臥時に容易かつ円滑に寝返りでき、その際の労力を軽減して横寝時の自然な寝姿勢を維持して楽な寝姿勢を得られ、首部の捩れや頸部のストレスを防止し、肩こりや寝違えを防止し得るようにしている。
【符号の説明】
【００６６】
１                      枕本体
２，３                  凸部
４                      使用者
５                      頭部
７                      頸椎部
９                      首部
【図１】
2020110293.tif 000003
【図２】
2020110293.tif 000004
【図３】
2020110293.tif 000005
【図４】
2020110293.tif 000006
【図５】
2020110293.tif 000007
【図６】
2020110293.tif 000008
【図７】
2020110293.tif 000009
【図８】
2020110293.tif 000010
【図９】
2020110293.tif 000011
【図１０】
2020110293.tif 000012
【図１１】
2020110293.tif 000013
【図１２】
2020110293.tif 000014
【図１３】
2020110293.tif 000015
【図１４】
2020110293.tif 000016
【図１５】
2020110293.tif 000017
【図１６】
2020110293.tif 000018
【図１７】
2020110293.tif 000019
【図１８】
2020110293.tif 000020
【図１９】
2020110293.tif 000021
【図２０】
2020110293.tif 000022
【図２１】
2020110293.tif 000023
【図２２】
2020110293.tif 000024
【図２３】
2020110293.tif 000025
【図２４】
2020110293.tif 000026
【図２５】
2020110293.tif 000027
【図２６】
2020110293.tif 000028
【図２７】
2020110293.tif 000029
【図２８】
2020110293.tif 000030
【図２９】
2020110293.tif 000031